(57)【要約】【課題】電波サーチの際の時間短縮と電力消費の低減を図る。【解決手段】第１の無線アクセス技術に対応する通信を行う第１の通信手段２１と、前記第１の無線アクセス技術とは異なる第２の無線アクセス技術に対応する通信を行う第２の通信手段２１とを、少なくとも有し、加入者が利用する事業者情報が記憶されたＵＳＩＭ１４と、通信において使用する無線アクセス技術情報が設定される設定ＲＡＴ記憶部１６Ｂと、設定ＲＡＴ記憶部１６Ｂへの無線アクセス技術情報設定の前に行う電波サーチの際に、ＵＳＩＭ１４に記憶されている事業者情報に基づき前記第１と前記第２のいずれかの無線アクセス技術により電波サーチを行う電波サーチ手段１８を具備している。【選択図】図１
2010074802.tif 000002
【特許請求の範囲】
【請求項１】
第１の無線アクセス技術に対応する通信を行う第１の通信手段と、前記第１の無線アクセス技術とは異なる第２の無線アクセス技術に対応する通信を行う第２の通信手段とを、少なくとも有し、
加入者が利用する事業者情報が記憶された事業者情報記憶手段を備える情報チップをセット可能に構成され、
通信において使用する無線アクセス技術情報が設定される設定情報記憶手段と、
前記設定情報記憶手段への無線アクセス技術情報設定の前に行う電波サーチの際にセットされている情報チップの事業者情報記憶手段に記憶されている事業者情報を読み出し、この事業者情報に基づき前記第１と前記第２のいずれかの無線アクセス技術により電波サーチを行う電波サーチ手段と、
この電波サーチ手段によるサーチ結果に基づき前記設定情報記憶手段に対する無線アクセス技術情報の設定を行う設定手段と
を具備していることを特徴とする通信端末装置。
【請求項２】
各国に対応させて無線アクセス技術情報が記憶された国別無線アクセス技術情報記憶手段を具備し、
設定手段は、電波サーチ手段がサーチにより得た国番号情報を用いて国を特定し、前記国別無線アクセス技術情報記憶手段の情報に基づき使用する無線アクセス技術の設定を行うことを特徴とする請求項１に記載の通信端末装置。
【請求項３】
設定手段は、電波サーチ手段がサーチにより国番号情報を得られない場合には、使用する無線アクセス技術を第１及び第２の無線アクセス技術とする設定を行うことを特徴とする請求項２に記載の通信端末装置。
【発明の詳細な説明】
【技術分野】
【０００１】
この発明は、異なる複数の無線アクセス技術に対応する通信を行うことが可能である携帯電話機などの通信端末装置に関するものである。
【背景技術】
【０００２】
上記の複数の無線アクセス技術（ＲＡＴ：Radio Access Technology）として、ＵＭＴＳ（Universal Mobile Telecommunications System）とＧＳＭ（Global System for Mobile Communications）等が採用されている。この内、我が国においては、ＵＭＴＳが採用され、ＷＣＤＭＡ（Wideband Code Division Multiple Access）として知られている。
【０００３】
海外ローミングサービスを受けることのできる携帯電話機（特許文献１参照）においては、上記ＵＭＴＳとＧＳＭの双方に対応可能な通信部が備えられており、各国においてネットワークを展開している通信事業者が採用している無線アクセス技術情報をユーザ自身が携帯電話機の設定画面において設定するように構成されている。このような設定をＲＡＴ設定と称している。
【特許文献１】特開２００６−２１７２６８号公報
【０００４】
上記のような海外ローミングサービスを受けることのできる携帯電話機において、ＲＡＴ設定をＵＭＴＳオンリーモードとして、ＧＳＭのみをサポートしている国へ行くと、携帯電話機がＧＳＭ対応の通信機能を有しているにも拘らず、設定不適合により通信が不能となってしまうという問題がある。このような場合に備えて、ＵＭＴＳ・ＧＳＭのデュアルモードが用意されている。
【０００５】
ＲＡＴ設定をデュアルモードにしておけば、ＵＭＴＳのみをサポートしている国とＧＳＭのみをサポートしている国のいずれに入国した場合においても、上記機能を有する携帯電話機によって通信を行うことが可能となる。しかしながら、ＲＡＴ設定をデュアルモードにしておくと、ＵＭＴＳとＧＳＭの両方の無線アクセス技術に対応する電波サーチが行われる。即ち、電波サーチの度にＵＭＴＳとＧＳＭの両方の無線アクセス技術に対応する電波サーチが行われ、電波サーチ時間が長くなり、また消費電力が多くなるという問題があった。
【発明の開示】
【発明が解決しようとする課題】
【０００６】
本発明は、上記のような海外ローミングサービスを受けることのできる携帯電話機などが抱えている問題点を解決せんとしてなされたもので、その目的は、ユーザによるＲＡＴ設定が不要であると共に、電波サーチの際の時間短縮と電力消費の低減を図ることが可能な通信端末装置を提供することである。
【課題を解決するための手段】
【０００７】
本発明に係る通信端末装置は、第１の無線アクセス技術に対応する通信を行う第１の通信手段と、前記第１の無線アクセス技術とは異なる第２の無線アクセス技術に対応する通信を行う第２の通信手段とを、少なくとも有し、加入者が利用する事業者情報が記憶された事業者情報記憶手段を備える情報チップをセット可能に構成され、通信において使用する無線アクセス技術情報が設定される設定情報記憶手段と、前記設定情報記憶手段への無線アクセス技術情報設定の前に行う電波サーチの際に、セットされている情報チップの事業者情報記憶手段に記憶されている事業者情報を読み出し、この事業者情報に基づき前記第１と前記第２のいずれかの無線アクセス技術により電波サーチを行う電波サーチ手段と、この電波サーチ手段によるサーチ結果に基づき前記設定情報記憶手段に対する無線アクセス技術情報の設定を行う設定手段とを具備していることを特徴とする。
【０００８】
本発明に係る通信端末装置は、各国に対応させて無線アクセス技術情報が記憶された国別無線アクセス技術情報記憶手段を具備し、設定手段は、電波サーチ手段がサーチにより得た国番号情報を用いて国を特定し、前記国別無線アクセス技術情報記憶手段の情報に基づき使用する無線アクセス技術情報の設定を行うことを特徴とする。
【０００９】
本発明に係る通信端末装置では、設定手段は、電波サーチ手段がサーチにより国番号情報を得られない場合には、使用する無線アクセス技術を第１及び第２の無線アクセス技術とする設定を行うことを特徴とする。
【発明の効果】
【００１０】
本発明に係る通信端末装置では、電波サーチの際に、当該装置にセットされている情報チップの事業者情報記憶手段に記憶されている事業者情報を読み出し、この事業者情報に基づき第１と第２のいずれかの無線アクセス技術により電波サーチを行い、この電波サーチ結果に基づき使用する無線アクセス技術情報の設定を行うので、ユーザによるＲＡＴ設定が不要であり、また、いずれかの無線アクセス技術により電波サーチを済ませることができ、時間の短縮と消費電力の低減とを図ることが可能である。
【００１１】
また、本発明に係る通信端末装置では、各国に対応させて無線アクセス技術情報が記憶された国別無線アクセス技術情報記憶手段を具備し、電波サーチにより得た国番号情報を用いて国を特定し、上記国別無線アクセス技術情報記憶手段の情報に基づき使用する無線アクセス技術情報の設定を行うので、ユーザによるＲＡＴ設定が不要であり、適切にＲＡＴ設定がなされる。
【００１２】
また、本発明に係る通信端末装置では、電波サーチにより国番号情報を得られない場合には、使用する無線アクセス技術を第１及び第２の無線アクセス技術とする設定を行うので、ユーザによるＲＡＴ設定が不要であり、適切にＲＡＴ設定がなされる。
【発明を実施するための最良の形態】
【００１３】
以下、添付図面を参照して本発明に係る通信端末装置の実施例を説明する。この実施例では、通信端末装置は携帯電話機とする。実施例である携帯電話機は、図１に示されるように、例えばＣＰＵにより構成される制御部１０が各部を制御する構成を有している。
【００１４】
制御部１０には、電波サーチ手段１８及びＲＡＴ設定手段１９が備えられていると共に、通信処理部２０、音声通話部１１、入力制御部１２、表示制御部１３、ＵＳＩＭ（Universal Subscriber Identity Module）１４、メモリ部１６が接続されている。また、携帯電話機には、電源スイッチ１７ａによりオンとなり各部へ電力供給を行う電源部１７が備えられている。
【００１５】
通信処理部２０には、ＵＭＴＳ対応の通信を行う第１の通信手段２１と、ＧＳＭ対応の通信を行う第２の通信手段２２が備えられると共に、ＵＭＴＳ対応のアンテナ２３とＧＳＭ対応のアンテナ２４が接続されている。音声通話部１１には、スピーカ２５とマイクロホォン２６とが接続され、音声通話部１１は制御部１０を介して送られた音声信号をスピーカ２５へ出力して音声化し、マイクロホォン２６から入力された音声を音声信号化して制御部１０へ送出し、通信処理部２０を介して送信可能に構成されている。
【００１６】
入力制御部１２には、キーボード部（タッチパネルによるものを含む）２７が接続され、文字を含む必要な情報の入力が可能に構成されている。キーボード部２７からは、オンラインによる通信を行わないオフラインモードをオンオフするキー操作が可能である。表示制御部１３には、ＬＣＤ（液晶ディスプレイ）などの表示部２８が接続されており、制御部１０の制御に基づき表示制御部１３は、表示部２８に文字等の情報を表示する。
【００１７】
ＵＳＩＭ１４は、当該携帯電話機の加入者が利用する事業者情報（ホーム網の事業者情報であり、国を特定する情報）が記憶された事業者情報記憶手段を有する情報チップであり、当該携帯電話機においては加入者が利用する事業者情報の情報チップをセット可能に構成されている。当該携帯電話機の使用時には、情報チップはセットされている。メモリ部１６には、国別無線アクセス技術情報記憶手段１６Ａと設定ＲＡＴ記憶部１６Ｂが設けられている。国別無線アクセス技術情報記憶手段１６Ａは、各国に対応させて網を提供する通信事業者と無線アクセス技術情報（ＲＡＴ）が記憶されたものであり、例えば図２に示されるようにテーブル化されている。また、設定ＲＡＴ記憶部１６Ｂは、当該携帯電話機において設定された無線アクセス技術情報（ＲＡＴ）が記憶されており、具体的には、ＵＭＴＳオンリーモード、ＧＳＭオンリーモード、ＵＭＴＳ・ＧＳＭのデュアルモードのいずれかが記憶される。
【００１８】
制御部１０に備えられている電波サーチ手段１８は、設定情報記憶手段である設定ＲＡＴ記憶部１６Ｂへの無線アクセス技術情報設定の前に行う電波サーチの際に、ＵＳＩＭ１４に記憶されている事業者情報に基づき第１（ＵＭＴＳ）と第２（ＧＳＭ）のいずれかの（ここでは一つのみ）の無線アクセス技術により電波サーチを行うものである。また、制御部１０に備えられているＲＡＴ設定手段１９は、電波サーチ手段１８によるサーチ結果に基づき使用する無線アクセス技術情報の設定を行う設定手段として機能する。
【００１９】
上記の電波サーチ手段１８及びＲＡＴ設定手段１９は、制御部１０が図３、図４に示すフローチャートに対応するプログラムを実行することにより実現されるものである。以下、図３、図４に示すフローチャートを参照して実施例に係る携帯電話機のＲＡＴ設定動作を説明する。
【００２０】
制御部１０は、電源スイッチ１７の操作による電源オン、キーボード部２７からのオフラインモードのオフを検出する。また、制御部１０は、通信処理部２０とアンテナ２３、２４を介して、通信事業者からの電波が受信できない圏外となって所定時間経過したことの検出を行っている。そして、制御部１０が、電源スイッチ１７の操作による電源オン、キーボード部２７からのオフラインモードのオフ、通信事業者からの電波が受信できない圏外となって所定時間経過したことのいずれかに該当することを検出すると、図３のフローチャートによる処理をスタートさせる。
【００２１】
制御部１０は、ＵＳＩＭ１４からホーム網情報（事業者情報）を読み出し、ホーム網（通信事業者名）を求め（Ｓ１１）、このホーム網に基づきメモリ部１６の国別無線アクセス技術情報記憶手段１６Ａを参照して国情報（Ｈ国）、当該Ｈ国の無線アクセス技術情報（ＲＡＴ）を求める（Ｓ１２）。この求めた無線アクセス技術情報（ＲＡＴ）が、第１の無線アクセス技術（ＵＭＴＳ）であるかを検出する（Ｓ１３）。
【００２２】
上記ステップＳ１３において、ＹＥＳとなると第１の無線アクセス技術（ＵＭＴＳ）による電波サーチを通信処理部２０とアンテナ２３、２４を介して行い（Ｓ１４）、ＮＯとなると第２の無線アクセス技術（ＧＳＭ）による電波サーチを通信処理部２０とアンテナ２３、２４を介して行う（Ｓ１５）。このように、一つのみの無線アクセス技術により電波サーチを行い、時間の短縮と消費電力の低減とを図っている。
【００２３】
ステップＳ１４またはステップＳ１５による電波サーチにより、受信した情報中のＭＣＣ情報（国情報）が取得できたかを検出し（Ｓ１６）、ＭＣＣ情報（国情報）が取得できなかった場合には、ＵＭＴＳ・ＧＳＭのデュアルモードを設定ＲＡＴ記憶部１６Ｂに設定して（Ｓ１７）、ＲＡＴの最適設定動作を終了する。これにより、当該携帯電話機は所定時間毎に行う間欠受信においては、設定ＲＡＴ記憶部１６Ｂに設定されたＵＭＴＳ・ＧＳＭのデュアルモードにより受信を行う。ＲＡＴの最適設定後の間欠受信において、ＵＭＴＳとＧＳＭの両方の無線アクセス技術に対応する電波サーチが行われるが、圏外でない場合には当該国の通信事業者がサポートとしている網を介して通信を行うことができる。
【００２４】
一方、上記ステップＳ１６においてＭＣＣ情報（国情報）が取得できた場合には、当該国がステップＳ１１において求めたホーム網のある国（Ｈ国）であるかを検出し（Ｓ１８）、Ｈ国であれば、国別無線アクセス技術情報記憶手段１６Ａを参照して当該Ｈ国の無線アクセス技術情報（ＲＡＴ）を求める（Ｓ１９）。ステップＳ１９に続いて、求めた無線アクセス技術情報（ＲＡＴ）が、第１の無線アクセス技術（ＵＭＴＳ）及び第２の無線アクセス技術（ＧＳＭ）の双方に対応することを示しているか検出する（Ｓ２０）。
【００２５】
上記ステップＳ２０において第１の無線アクセス技術（ＵＭＴＳ）及び第２の無線アクセス技術（ＧＳＭ）の双方に対応していないことが検出されると、ステップＳ１９において求めたＨ国が採用している一の無線アクセス技術情報（ＵＭＴＳオンリーモードとＧＳＭオンリーモードのいずれか一方）を設定ＲＡＴ記憶部１６Ｂに設定して（Ｓ２１）、ＲＡＴの最適設定動作を終了する。これにより、当該携帯電話機は所定時間毎に行う間欠受信においては、設定ＲＡＴ記憶部１６Ｂに設定されたＵＭＴＳオンリーモードまたはＧＳＭオンリーモード受信を行う。これにより当該国の通信事業者がサポートとしている網を介して通信を行うことができる。
【００２６】
また、上記ステップＳ２０において第１の無線アクセス技術（ＵＭＴＳ）及び第２の無線アクセス技術（ＧＳＭ）の双方に対応していることが検出されると、ＵＭＴＳ・ＧＳＭのデュアルモードを設定ＲＡＴ記憶部１６Ｂに設定して（Ｓ２２）、ＲＡＴの最適設定動作を終了する。これにより、当該携帯電話機は所定時間毎に行う間欠受信においては、設定ＲＡＴ記憶部１６Ｂに設定されたＵＭＴＳ・ＧＳＭのデュアルモードにより受信を行う。ＲＡＴの最適設定後の間欠受信において、ＵＭＴＳとＧＳＭの両方の無線アクセス技術に対応する電波サーチが行われ、これにより当該国の通信事業者がサポートとしている網を介して通信を行うことができる。
【００２７】
更に、ステップＳ１８においてホーム網のある国（Ｈ国）でないことが検出された場合には、ＭＣＣ情報（国情報）からＮ国と特定し（Ｓ２３）、国別無線アクセス技術情報記憶手段１６Ａを参照して当該Ｎ国の無線アクセス技術情報（ＲＡＴ）を求める（Ｓ２４）。ステップＳ２４に続いて、求めた無線アクセス技術情報（ＲＡＴ）が、第１の無線アクセス技術（ＵＭＴＳ）及び第２の無線アクセス技術（ＧＳＭ）の双方に対応することを示しているか検出する（Ｓ２５）。
【００２８】
上記ステップＳ２５において第１の無線アクセス技術（ＵＭＴＳ）及び第２の無線アクセス技術（ＧＳＭ）の双方に対応していないことが検出されると、ステップＳ２３において求めたＮ国が採用している唯一の無線アクセス技術情報（ＵＭＴＳオンリーモードとＧＳＭオンリーモードのいずれか一方）を設定ＲＡＴ記憶部１６Ｂに設定して（Ｓ２６）、ＲＡＴの最適設定動作を終了する。これにより、当該携帯電話機は所定時間毎に行う間欠受信においては、設定ＲＡＴ記憶部１６Ｂに設定されたＵＭＴＳオンリーモードまたはＧＳＭオンリーモード受信を行う。これにより当該国の通信事業者がサポートとしている網を介して通信を行うことができる。
【００２９】
また、上記ステップＳ２５において第１の無線アクセス技術（ＵＭＴＳ）及び第２の無線アクセス技術（ＧＳＭ）の双方に対応していることが検出されると、ＵＭＴＳ・ＧＳＭのデュアルモードを設定ＲＡＴ記憶部１６Ｂに設定して（Ｓ２２）、ＲＡＴの最適設定動作を終了する。これにより、当該携帯電話機は所定時間毎に行う間欠受信においては、設定ＲＡＴ記憶部１６Ｂに設定されたＵＭＴＳ・ＧＳＭのデュアルモードにより受信を行う。ＲＡＴの最適設定後の間欠受信において、ＵＭＴＳとＧＳＭの両方の無線アクセス技術に対応する電波サーチが行われ、これにより当該国の通信事業者がサポートとしている網を介して通信を行うことができる。
【００３０】
図５から図８に、具体的なＲＡＴの最適設定の処理を示す。これら図５から図８には、図３、図４のフローチャートにおけるステップ符号を付して説明を行う。まず、図５は、ＵＳＩＭ１４に、ホーム網として日本の通信業社名が記憶されており、日本においてＲＡＴの最適設定がなされる場合を示す。この例では、ＵＳＩＭ１４に記憶されたホーム網情報から日本が求められ、国別無線アクセス技術情報記憶手段１６Ａを参照して日本がＵＭＴＳの国であることが検出され、ステップＳ１４において第１の無線アクセス技術（ＵＭＴＳ）による電波サーチが行われ、ステップＳ１６、Ｓ１８において、電波の受信により得られる情報中のＭＣＣ情報（国情報）から国名「日本」が取得される。これを用いて、ステップＳ１９〜Ｓ２１へ進み、ＵＭＴＳオンリーモードが設定ＲＡＴ記憶部１６Ｂに設定される。これにより、日本国内において当該携帯電話機を用いた通信が可能となる。
【００３１】
図６は、ＵＳＩＭ１４に、ホーム網として中国の通信業社名が記憶されており、中国においてＲＡＴの最適設定がなされる場合を示す。この例では、ＵＳＩＭ１４に記憶されたホーム網情報から中国が求められ、国別無線アクセス技術情報記憶手段１６Ａを参照して中国がＧＳＭの国であることが検出され、ステップＳ１４において第２の無線アクセス技術（ＧＳＭ）による電波サーチが行われ、ステップＳ１６、Ｓ１８において、電波の受信により得られる情報中のＭＣＣ情報（国情報）から国名「中国」が取得される。これを用いて、ステップＳ１９〜Ｓ２１へ進み、ＧＳＭオンリーモードが設定ＲＡＴ記憶部１６Ｂに設定される。これにより、中国国内において当該携帯電話機を用いた通信が可能となる。
【００３２】
図７は、ＵＳＩＭ１４に、ホーム網として日本の通信業社名が記憶されており、フランスにおいてＲＡＴの最適設定がなされる場合を示す。この例では、ＵＳＩＭ１４に記憶されたホーム網情報から日本が求められ、国別無線アクセス技術情報記憶手段１６Ａを参照して日本がＵＭＴＳの国であることが検出され、ステップＳ１４において第１の無線アクセス技術（ＵＭＴＳ）による電波サーチが行われ、フランスは第１の無線アクセス技術（ＵＭＴＳ）及び第２の無線アクセス技術（ＧＳＭ）の双方に対応しているため、ステップＳ１６、Ｓ１８、Ｓ２３において、電波の受信により得られる情報中のＭＣＣ情報（国情報）から国名「フランス」が取得される。これを用いて、ステップＳ２４、Ｓ２５と進み、第１の無線アクセス技術（ＵＭＴＳ）及び第２の無線アクセス技術（ＧＳＭ）の双方にフランスが対応していることに基づき、ステップＳ２２においてＵＭＴＳ・ＧＳＭのデュアルモードが設定ＲＡＴ記憶部１６Ｂに設定される。これにより、フランス国内において当該携帯電話機を用いてＵＭＴＳ・ＧＳＭのいずれによっても通信が可能となる。
【００３３】
図８は、ＵＳＩＭ１４に、ホーム網として中国の通信業社名が記憶されており、日本においてＲＡＴの最適設定がなされる場合を示す。この例では、ＵＳＩＭ１４に記憶されたホーム網情報から中国が求められ、国別無線アクセス技術情報記憶手段１６Ａを参照して中国がＧＳＭの国であることが検出され、ステップＳ１５においてＵＳＩＭ１４に記憶されたホーム網情報に基づき第２の無線アクセス技術（ＧＳＭ）による電波サーチが行われ、ステップＳ１６においては、日本がＵＭＴＳの国であるため、電波受信ができず、ＭＣＣ情報（国情報）が取得できない。このため、ステップＳ１６からステップＳ１７へ進むことになり、ＵＭＴＳ・ＧＳＭのデュアルモードが設定ＲＡＴ記憶部１６Ｂに設定される。これにより、日本がＵＭＴＳの国であるにも拘らずＵＳＩＭ１４に、ホーム網として中国の通信業社名が記憶された当該携帯電話機を用いて通信が可能となる。
【００３４】
なお、以上の例では、現状において使用されている無線アクセス技術であるＵＭＴＳ、ＧＳＭを例としたが、これ以外の無線アクセス技術が将来に採用されるような場合には、ＲＡＴの最適設定動作においては複数種の内のいずれか１つのみの無線アクセス技術を用いて電波サーチを行う。そして、図４においてデュアルモードの設定に代えて、これら複数種の無線アクセス技術のモード全てを設定する。これにより、通信が可能となる。
【００３５】
また、ＲＡＴの最適設定動作を行うか否かをユーザが設定可能に構成しても良い。ユーザにおいてＲＡＴが既知である場合に適切な設定が可能となる。また、複数種の無線アクセス技術を採用する国であることが検出された場合に、これらの候補をユーザに表示によるなどして示し、１つの選択設定可能に構成しても良い。また、図３においてスタートとなりステップＳ１１へ進む条件を、図３において示した条件以外に、圏外か圏内かに拘らず、所定周期において実行することをユーザが設定可能に構成しても良い。
【図面の簡単な説明】
【００３６】
【図１】本発明に係る通信端末装置の実施例である携帯電話機の構成を示すブロック図。
【図２】本発明に係る通信端末装置の実施例である携帯電話機に記憶される国名とＲＡＴの対応テーブルの一例を示す図。
【図３】本発明に係る通信端末装置の実施例である携帯電話機によるＲＡＴの最適設定動作を説明するためのフローチャート。
【図４】本発明に係る通信端末装置の実施例である携帯電話機によるＲＡＴの最適設定動作を説明するためのフローチャート。
【図５】本発明に係る通信端末装置の実施例である携帯電話機によるＲＡＴの最適設定動作の具体例を説明するためのフローチャート。
【図６】本発明に係る通信端末装置の実施例である携帯電話機によるＲＡＴの最適設定動作の具体例を説明するためのフローチャート。
【図７】本発明に係る通信端末装置の実施例である携帯電話機によるＲＡＴの最適設定動作の具体例を説明するためのフローチャート。
【図８】本発明に係る通信端末装置の実施例である携帯電話機によるＲＡＴの最適設定動作の具体例を説明するためのフローチャート。
【符号の説明】
【００３７】
１０  制御部
１２  入力制御部
１３  表示制御部
１６Ａ  国別無線アクセス技術情報記憶手段
１６Ｂ  設定ＲＡＴ記憶部
１８  電波サーチ手段
１９  ＲＡＴ設定手段
２０  通信処理部
２１  第１の通信手段
２２  第２の通信手段
【図１】
2010074802.tif 000003
【図２】
2010074802.tif 000004
【図３】
2010074802.tif 000005
【図４】
2010074802.tif 000006
【図５】
2010074802.tif 000007
【図６】
2010074802.tif 000008
【図７】
2010074802.tif 000009
【図８】
2010074802.tif 000010